(57)【要約】      （修正有）【課題】製造コストを上昇させることなく、良好な扉の密閉性が得られる高周波調理器を提供する。【解決手段】加熱室１２の開口面に取付けられている扉１３を閉じる際に、複数のダンパー３１が順に作動するため、扉の回動スピードが急激に低下することはなく、円滑な閉成動作が得られるとともに、扉１３が閉じて高周波調理器１０の筐体１１に接触するときに最も強い減衰力を得ることができるので、扉１３が閉じる際の衝撃を有効に小さくすることができる。また、従来より用いられているダンパーや市販されているダンパーを用いて、より強い減衰力を得ることができるので、製造コストの上昇を回避することができる。これに伴い、扉１３を閉じるドアバネ２３に強力なものを用いることができるので、密閉性を向上させることができる。【選択図】図１
2009139020.tif 000002
【特許請求の範囲】
【請求項１】
被加熱物を収納する加熱室と、
前記加熱室の開口面に設けた開閉自在の扉と、
前記扉の開度を規制するドアアームと、
減衰機能を有する複数のダンパーと、を備え、
前記扉が閉じる際に、前記複数のダンパーが順に作動を開始する高周波調理器。
【請求項２】
前記各ダンパーのピストンに接触する接触面を有する押圧板が扉に対して回動可能に取り付けられている請求項１の高周波調理器。
【請求項３】
前記各ダンパーの減衰力が同じである請求項１または２に記載の高周波調理器。
【請求項４】
前記各ダンパーのうち、扉が閉まるときに最後に作動を開始するダンパーの減衰力が最も大きい請求項１または２に記載の高周波調理器。
【発明の詳細な説明】
【技術分野】
【０００１】
本発明は、扉の開閉時に調理器に加わる衝撃力を緩和させる高周波調理器に関するものである。
【背景技術】
【０００２】
従来より、高周波調理器においては、扉を閉じるときに高周波調理器に加わる衝撃力を緩衝するダンパーを搭載するのが一般的である（例えば、特許文献１参照）。
【０００３】
図５に示すように、特許文献１に記載の高周波調理器１００においては、内部に加熱室１０１を配置し、被加熱物を出し入れするため加熱室１０１の開口部には扉１０２が装着され、扉１０２にはドアアーム１０３と、ドアガイドローラ１０４と、ドアバネ１０５により、ヒンジ１０６を支点として開閉自在な構成となっている。 高周波調理器１００の外装と加熱室１０１の空間には高周波発振器、ヒータ、制御基板等の各種の電気部品１０７が配置されている。そして、扉１０２を閉じる時には、ドアアーム１０３を介してドアバネ１０５による高周波調理器１００側からの付勢に対する衝撃力を緩和させるため、ダンパー１０８が設けられている。
【特許文献１】特開２００２−３９５４１号公報
【発明の開示】
【発明が解決しようとする課題】
【０００４】
近年、前述したような従来の高周波調理器１００においては、蒸気発生機能が付加されている関係から密閉性を向上させて上記漏れ防止を図るために、扉１０２を閉めるためのドアバネ１０５に強力なものを採用する傾向にあり、これに伴ってダンパー１０８も強力なものを用いる必要がある。しかしながら、強力なダンバーは高価であるため、製造コストの高騰を招くという問題がある。また、このドアバネ１０５が強力なものになるほどダンパー１０８も強力なものとすることから、扉１０２を閉じる際、前記ダンパー１０８の緩衝力が作用し始めると急激に扉１０２の回動スピードが低下し、扉平成動作がぎこちないものとなって品質低下をきたす課題があった。
【０００５】
本発明は、従来の問題を解決するためになされたもので、製造コストを上昇させることなく密閉性が確保でき、円滑な扉の閉成が可能な高周波調理器を提供することを目的とする。
【課題を解決するための手段】
【０００６】
本発明の高周波調理器は、被加熱物を収納する加熱室と、前記加熱室の開口面に設けた開閉自在の扉と、前記扉の開度を規制するドアアームと、減衰機能を有する複数のダンパーと、を備え、  前記扉が閉じる際に、前記複数のダンパーが順に作動を開始する構成を有している。
【０００７】
この構成により、加熱室の扉を閉じる際に、複数のダンパーが順に作動するため、扉の回動スピードが急激に低下することはなく、しかもそれでいて扉が閉じて高周波調理器の筐体に接触するときに最も強い減衰力を得ることができるので、扉が閉じる際の衝撃を有効に小さくすることができる。また、従来より用いられているダンパーや市販されているダンパーを用いて、より強い減衰力を得ることができるので、製造コストの上昇を回避することができる。これに伴い、扉を閉じるドアバネに強力なものを用いることができるので、密閉性を向上させることができることとなる。
【０００８】
また、本発明の高周波調理器は、前記各ダンパーのピストンに接触する接触面を有する押圧板が扉に対して回動可能に取り付けられている構成を有している。
【０００９】
この構成により、押圧板の接触面が扉に対して回動可能であるため、扉が閉じる際に扉の角度が変化しても、接触面はダンパーのピストンと適正に接触することができることとなる。
【００１０】
さらに、本発明の高周波調理器は、前記各ダンパーの減衰力が同じである構成を有している。
【００１１】
この構成により、従来より用いられているダンパーを使用することができ、製造コストの上昇を抑えることができるとともにダンパーの配置を間違えることによる組立ミスを無くすことができる。
【００１２】
さらに、本発明の高周波調理器は、前記各ダンパーのうち、扉が閉まるときに最後に作動を開始するダンパーの減衰力が最も大きい構成を有している。
【００１３】
この構成により、順次ダンパーが作動し、最後に減衰力がもっとも大きなダンパーが作動するため、扉が高周波調理器の本体と接触するときの衝撃を確実に減少させることができる。
【発明の効果】
【００１４】
本発明は、加熱室の開口面に取付けられている扉を閉じる際に、複数のダンパーが順に作動するため、扉の回動スピードが急激に低下することはなく、円滑な閉成動作が得られるとともに扉が閉じて高周波調理器の筐体に接触するときに最も強い減衰力を得ることができるので、扉が閉じる際の衝撃を有効に小さくすることができる。また、従来より用いられているダンパーや市販されているダンパーを用いて、より強い減衰力を得ることができるので、製造コストの上昇を回避することができる。これに伴い、扉を閉じるドアバネに強力なものを用いることができるので、密閉性を向上させることができるという効果を有する高周波調理器を提供することができるものである。
【発明を実施するための最良の形態】
【００１５】
以下、本発明の実施の形態の高周波調理器について、図面を用いて説明する。
図１は本発明の実施形態にかかる高周波調理器の扉を開けた状態を示す一部破断の側面図、図２は高周波調理器の扉の開閉動作中の状態を示す一部破断の側面図、図３は高周波調理器の扉を閉じた状態を示す一部破断の側面図、図４はドアアームの先端に取付けられている押圧板の拡大図である。
【００１６】
図１〜図３に示すように、本発明にかかる高周波調理器１０は、全体矩形状の筐体１１を有しており、前面には、被加熱物を載置する内部空間である加熱室１２に連続する開口１７が設けられている。この開口１７には、加熱室１２を密閉可能に開閉する扉１３が設けられており、扉１３の下部１３ａが筐体１１の底部１１ａの前方に設けられている回動軸１４に回動可能に軸支されている。また、扉１３の前面上端部１３ｂには扉１３を開閉するための取っ手１５が設けられており、取っ手１５を握ることにより閉状態（図３参照）にロックされている扉１３のロックを外すことができ、扉１３の上部１３ｂを開いて被加熱物を加熱室１２に出し入れできるようになっている。
【００１７】
また、加熱室１２と筐体１１の上板１１ｃとの間には上部空間１６が形成されており、この上部空間１６には高周波発振器や、ヒータ、制御基板等の各種の電気部品１８が配置されている。なお、電気部品１８は、側部空間や底部空間等に設けることもできる。
【００１８】
加熱室１２の側壁と筐体１１の側板１１ｂとの間には、側部空間が設けられている。側部空間には、一端部２１ａが支点２１ｂによって扉１３に回動可能に接続され、扉１３の開度を規制するドアアーム２１が、扉１３の開閉に伴って移動可能に設けられている。また、側部空間における筐体１１側にはドアガイドローラ２２が回転可能に取付けられており、ドアアーム２１の下辺２１ｃを往復移動可能に支持している。なお、ドアアーム２１の下辺後端部に設けられている係止部２１ｅがドアガイドローラ２２に当接すると、扉１３はそれ以上開かないように扉１３の開度を規制している（図１に示す状態）。
【００１９】
ドアアーム２１の他端２１ｄと筐体１１の底板１１ｄとの間にはドアバネ２３が設けられており、常時、ドアアーム２１の他端２１ｄを下向き後方に向かって付勢している。これにより、扉１３の開閉時に、ドアアーム２１を介して扉１３を閉じる方向に付勢するとともに、ドアアーム２１がドアガイドローラ２２から脱落しないようになっている。ドアアーム２１の他端部２１ｄには、背面に接触面２４ａを有する樹脂性の押圧板２４が取付けられている。
【００２０】
なお、図４に示すように、押圧板２４は、ドアアーム２１に回動可能に設けるのが望ましい。これにより、押圧板２４の接触面２４ａが扉１３に対して回動可能であるため、扉１３が閉じる際に扉１３の角度が変化しても、接触面２４ａはダンパー３１のピストン３３と適正に接触することができることとなる。
【００２１】
側部空間における後部（図１中左部）には、ダンパー部３０が筐体１１側に取付けられている。ダンパー部３０は、複数個（ここでは２個）のダンパー３１Ａ、３１Ｂを上下方向に並べ、取付け具３２によって筐体１１側に取付けられている。各ダンパー３１Ａ、３１Ｂは、例えばオイル、エアー、グリス、摩擦方式により、ピストン３３をシリンダ３４内部に押し込む衝撃力を吸収して緩和するものである。なお、ダンパー３１Ａ、３１Ｂの内部には復帰バネ（図示省略）が設けられており、ピストン３３を押す力が解放されると、ピストン３３は所定の原点（図１で示す位置）まで復帰するようになっている。
【００２２】
各ダンパー３１Ａ、３１Ｂは、ピストン３３を扉１３側に向けて略垂直に配置されており、各ダンパー３１Ａ、３１Ｂのピストン３３Ａ、３３Ｂの先端は、前後方向（図１中左右方向）に所定距離Ｌだけずれて配置されている。これにより、各ダンパー３１Ａ、３１Ｂの作動開始のタイミングをずらしている。
【００２３】
なお、同じ減衰力を有するダンパー３１Ａ、３１Ｂを用いることにより、従来より用いられているダンパーや市販のダンパーを使用することができ、製造コストの上昇を抑えることができるとともにダンパーの配置を間違えることによる組立ミスを無くすことができる。
【００２４】
次に、図１〜図３を参照して、扉１３とダンパー３１の関連動作を説明する。
図１では、扉１３は全開されており、ドアアーム２１は前方（図中右方）へ引き出されて、ドアアーム２１の係止部２１ｅがドアガイドローラ２２に係止されている。この状態では、各ダンパー３１Ａ、３１Ｂのピストン３３Ａ、３３Ｂはドアアーム２１の押圧板２４から離れている。また、扉１３の内面１３ａは加熱室１２の底板１２ｂと同一面上にある。
【００２５】
図２に示すように、開状態から矢印Ａ方向に扉１３を閉じると、ドアバネ２３がドアアーム２１を奥側（図中左側）へ引き込むので、扉１３は閉じようとする。従って、扉１３の回動に伴ってドアアーム２１が図中左方向（矢印Ｂ方向）へ移動することになる。そして、図２に示すように、扉１３の開度が所定の角度に達すると、ドアアーム２１の先端に取付けられている押圧板２４の接触面２４ａが、まず前方へ突出している上側のダンパー３１Ａのピストン３３Ａの先端に当接する。そのままさらに扉１３を閉じると、ドアアーム２１は押圧板２４でピストン３３Ａをシリンダ３４Ａの内部に押し込みながら移動する。これにより、扉１３が閉じようとする力を吸収するので、扉１３はゆっくりと閉じる。すなわち、ダンパー３１Ａひとつのみの緩衝力が作用することになり、扉１３は閉成スピードを大きく低下することなく若干のスピードダウンをしながら閉成を続けていくことになる。
【００２６】
さらに扉１３が閉じると、ドアアーム２１はさらに奥側へ移動するので、続いて、ドアアーム２１の先端の押圧板２４は下側のダンパー３１Ｂのピストン３３Ｂの先端に当接してピストン３３Ｂをシリンダ３４Ｂの内部に押し込む。このため、二つのダンパー３１Ａ、３１Ｂが作動して扉１３が閉じようとする力を吸収するので、扉１３はさらにゆっくりと閉じる。
そして、図３に示すように、扉１３が閉じられて、ロックされる。
【００２７】
以上、説明した本発明にかかる高周波調理器１０によれば、加熱室１２の開口面に取付けられている扉１３を閉じる際に、複数のダンパー３１Ａ、３１Ｂが順に作動するため、扉１３は回動作スピードを急激に低下することなく円滑に閉成していくことになり、かつ、扉１３が閉じて筐体１１の前面に接触するときには最も強い減衰力を得ることができるので、扉１３の閉成動作を円滑に維持しながら閉じる際の衝撃を有効に小さくすることができる。また、従来より用いられているダンパーや市販されているダンパーを用いてより強い減衰力を得ることができ、製造コストの上昇を回避することができる。これに伴い、扉１３を閉じるドアバネ２３に強力なものを用いることができ、加熱室１２の密閉性を向上させることができる。
【００２８】
なお、本発明の高周波調理器は、前述した実施形態に限定されるものでなく、適宜な変形，改良等が可能である。
例えば、前述した実施形態においては、複数本のダンパー３１として同じ減衰力を有するものを使用した場合について例示したが、この他、各ダンパー３１のうち、扉が閉まるときに最後に作動を開始するダンパー（図１〜図３においてはダンパー３１Ｂ）の減衰力が最も大きくなるようにすることができる。この場合には、順次ダンパー３１が作動し、最後に減衰力がもっとも大きなダンパー３１Ｂが作動するため、扉１３が筐体１１と接触するときの衝撃を確実に減少させることができる。
また、前述した実施形態においては、２本のダンパーを使用した場合について説明したが、３本以上のダンパーを用いることもできる。
【産業上の利用可能性】
【００２９】
以上のように、本発明にかかる高周波調理器は、加熱室の開口面に取付けられている扉を閉じる際に、複数のダンパーが順に作動するため、円滑な扉の閉成動作が得られ品質が高いものとなるとともに、扉が閉じて高周波調理器の筐体に接触するときには最も強い減衰力を得ることができるので、扉が閉じる際の衝撃を有効に小さくすることができる。また、従来より用いられているダンパーや市販されているダンパーを用いて、より強い減衰力を得ることができるので、製造コストの上昇を回避することができる。これに伴い、扉を閉じるドアバネに強力なものを用いることができるので、密閉性を向上させることができるという効果を有し、扉の開閉時に調理器に加わる衝撃力を緩和させる高周波調理器等として有用である。
【図面の簡単な説明】
【００３０】
【図１】本発明の実施形態にかかる高周波調理器の扉を開けた状態を示す側面図
【図２】高周波調理器の扉の開閉動作中の状態を示す側面図
【図３】高周波調理器の扉を閉じた状態を示す側面図
【図４】ドアアームの先端に取付けられている押圧板の拡大
【図５】従来の高周波調理器を示す断面図
【符号の説明】
【００３１】
１０  高周波調理器
１２  加熱室
１３  扉
２１  ドアアーム
２４  押圧板
２４ａ  接触面
３１Ａ、３１Ｂ  ダンパー
３３Ａ、３３Ｂ  ピストン
【図１】
2009139020.tif 000003
【図２】
2009139020.tif 000004
【図３】
2009139020.tif 000005
【図４】
2009139020.tif 000006
【図５】
2009139020.tif 000007